【手続補正書】
【提出日】平成15年9月3日(2003.9.3)
【手続補正１】
【補正対象書類名】特許請求の範囲
【補正対象項目名】全文
【補正方法】変更
【補正の内容】
【特許請求の範囲】
【請求項１】
一種の洗浄便器は、大便器および粉砕ポンプを含み、
当該粉砕ポンプは大便器底部の出口凹み部に設置され、その特徴は改良された大便器と、回路制御装置とが含まれるからであり、そのうち、
当該改良された大便器はその前部に近い底面に糞便粉砕パイプを接続設置し、当該糞便粉砕パイプに糞便粉砕パイプの通／断をコントロールする電磁弁を設置し、当該糞便粉砕パイプは大便器凹み底部の粉砕ポンプ出口の片側に連結し、その底部に収糞パイプを接続し、当該収糞パイプに収糞パイプの通／断をコントロールする電磁弁を設置し、収糞パイプのあと一端は開放端として排泄物をシステム外に排出し、
当該回路制御装置は上述したすべての電気具をコントロールし、
上述した構造を組み合わせると、循環洗浄糞便粉砕構造を設置した本発明の洗浄便器が構成され、大便を洗浄する場合、回路制御装置のコントロールで洗浄液は大便器、粉砕ポンプ、糞便粉砕電磁弁、糞便粉砕パイプおよび大便器の間に形成された循環経路で強制的循環を形成し、大便器便器中の糞便を粉砕ポンプに流し込んで粉砕し、且つ洗浄液と混合して糊状液体を形成し、回路制御装置のコントロールで収糞パイプの通／断をコントロールする電磁弁がＯＮし、粉砕ポンプが作動し、それによって大便器便器中の汚物は粉砕ポンプ、電磁弁および収糞パイプを通って便器システム外に排出され、循環洗浄構造によって水の用量が大きく減少し、目立った節水機能があることを特徴とする洗浄便器。
【請求項２】
大便器前部に、洗浄パイプを接続し、当該洗浄パイプにその通／断をコントロールする電磁弁を設置し、当該電磁弁は回路制御装置にコントロールされ、当該洗浄パイプの一端は圧力のある洗浄液又は水源に接続し、あと一端の排出部ノズルはすべての汚物をきれいに洗浄可能である大便器の先端部に設置し、回路制御装置の制御指令により、電磁弁が開き、洗浄液は水源圧力に作用されて大便器の便器に流れ込んで洗浄を行うことを特徴とする請求項１記載の洗浄便器。
【請求項３】
大便器の前部に、洗浄液ポンプを接続固定し、大便器前部に洗浄パイプを設置し、当該洗浄パイプは開放口の排出ノズルを大便器の前部に設置し、あとの一端を洗浄液ポンプに接続固定し、洗浄パイプは一端を洗浄液又は水源に接続し、あと一端の排水部ノズルをすべての汚物をきれいに洗浄可能である大便器の先端部に設置し、洗浄液は洗浄液ポンプに作用されて大便器便器に流れ込むことを特徴とする請求項１記載の洗浄便器。
【請求項４】
尿液収集装置を含み、当該尿液収集装置は収尿パイプ、収尿タンクおよび回路制御装置を含み、そのうち、
当該収尿パイプは大便器の後底部排出出口凹み部の片側に接続設置し、その底部に収糞パイプを接続設置し、当該収糞パイプにパイプの通／断をコントロールする電磁弁を設置し、且つ収尿パイプのあと一端を延伸して収尿タンクに設置し、収尿パイプにパイプの通／断をコントロールする電磁弁を設置し、
当該集尿タンクは密閉状タンクで、その中に収尿パイプと洗浄液ポンプとを設置し、
上述した構造を組み合わせると、本発明の無水源洗浄システム、すなわち、尿液収集装置を設置した循環洗浄糞便粉砕洗浄便器を構成し、その回路制御装置のコントロールで収尿電磁弁が開き、粉砕ポンプは作動せず、このとき、尿液は大便器後底部排出出口の凹み部から粉砕ポンプ、収尿パイプおよび収尿電磁弁を経由して収尿タンクに流れ込み、それによって固体と液体の分離が実現され、当該収尿装置により大便器の自動洗浄を知能的にコントロールする機能を具えることを特徴とする請求項１記載の洗浄便器。
【請求項５】
薬液自動添加装置を増設し、当該薬液自動添加装置は薬液タンクおよび回路制御装置より組成され、そのうち、
当該薬液タンクは収尿タンクの上部に設置し、薬液タンクに薬液が貯蔵され、薬液タンクの底部に薬液導管を接続し、当該薬液導管のあと一端は収尿タンクに接続固定し、又は、導尿パイプに接続して収尿タンクに連結することが可能であり、当該導尿パイプに回路制御装置を設置し、導尿パイプの通／断をコントロールする電磁弁をコントロールし、
当該回路制御装置は、上述した電気具と電磁弁をコントロールし、
上述した構造を組み合わせると、本発明の薬液自動添加装置を設置した無水源洗浄システム洗浄便器を構成し、回路制御装置のコントロールで尿液を回収するに当たって薬液電磁弁は開き、薬液タンク中の薬液は大便器出口部から流れ出した尿液に混ざって便器を洗浄する混合洗浄液となり、これによって尿液の悪臭は消され、環境保護薬液を自動添加し、悪臭を解消する機能があることを特徴とする請求項１記載の洗浄便器。
【請求項６】
二重ポンプ洗浄装置を設置し、当該二重ポンプ洗浄装置は上層洗浄液ポンプ、下層液導管、澄まし液導管および回路制御装置を含み、そのうち、
当該下層洗浄液ポンプは上層洗浄液ポンプ下部および収尿タンクの底部に設置され、少々高い位置に設置された上層洗浄液ポンプと二重ポンプ洗浄構造を形成し、
当該下層液導管はその上端に下層液ノズルがあり、当該下層液ノズルは大便器の底面に接続固定し、その下端は下層洗浄液ポンプに接続し、
当該澄まし液導管はその上端は大便器先端部の洗浄液排出部ノズルに接続固定し、あとの一端は澄まし液ポンプに接続し、
当該回路制御装置は上述した電気具をコントロールし、
上述した構造を組み合わせると、本発明の二重ポンプ洗浄装置を設置した無水源洗浄システム洗浄便器を構成し、回路制御装置のコントロールで下層洗浄液ポンプは収尿タンク下層の尿液沈殿物を抽出し、下層液ノズルを通じて大便器後部の尿糞貯蔵部に噴出して大便器を洗浄し、そして、澄まし液ポンプは収尿タンクの上層から尿液澄まし液を抽出し、澄まし液ノズルを通じて大便器後部の糞尿貯蔵部に噴出して大便器を再度洗浄し、それによって大便器はきれいに洗浄され、尿液沈殿物を残さない機能があることを特徴とする請求項４記載の洗浄便器。
【請求項７】
集中ノズル構造を増設し、当該集中ノズル構造は前述した下層洗浄液ポンプの下層液導管の上端部に逆止め弁を接続し、当該逆止め弁は糞便粉砕パイプに接続し、且つ両者は並列して頂上部にある下層液ノズルに連結し、上述した構造を組み合わせると、集中ノズル構造と二重ポンプ洗浄装置を設置した本発明の無水源洗浄システム洗浄便器を構成することを特徴とする請求項６記載の洗浄便器。
【請求項８】
人体探測装置を増設し、当該人体探測装置は便所に取り付けた光電探測装置、受身式人体赤外探測器、便所の床下に取り付けた圧力センサー又は便所のドアロックやドア鍵に取り付けた行程スイッチなどの多様化した探測装置があり、上述した構造を組み合わせると、身体探測装置を設置した本発明の洗浄便器を構成し、以上の探測装置の作動状態はいずれも便所で洗浄便器を使っている人がいるかどうかを検知することが可能であり、且つそれは回路制御装置にコントロールされることを特徴とする請求項７記載の洗浄便器。
【請求項９】
水位感応装置を増設し、当該水位感応装置は水位センサーを含み、当該水位感応装置は収尿タンクの適当な位置に設置し、上述した構造を組み合わせると、水位感応装置を設置した本発明の無水源洗浄システムの洗浄便器を構成することを特徴とする請求項８記載の洗浄便器。
【請求項１０】
人体探測措置と回路制御装置での大小便自動識別方法があり、当該大小便自動識別方法はまず用便時間を記録し、探測装置からの用便者が便所に入った信号から計時を始め、当該計時は探測装置が用便者が離れた信号を提供するまで続き、回路制御装置は計時装置の計時した時間の長さにより大小便を識別し、すなわち、便所の利用時間がある特徴値ｔ０より短い場合、用便者は大便ではないと肯定可能であり、用便者は小便が特別に長いケースもあるが、大便ではない延べ人数を依然として正確に識別することが可能であることを特徴とする請求項９記載の洗浄便器。